(57)【要約】発展型ユニバーサル移動通信システム地上波無線アクセスネットワーク（ｅＵＴＲＡＮ：Ｅｖｏｌｖｅｄ Ｕｎｉｖｅｒｓａｌ Ｍｏｂｉｌｅ Ｔｅｌｅｃｏｍｍｕｎｉｃａｔｉｏｎｓ  Ｓｙｓｔｅｍ  Ｔｅｒｒｅｓｔｒｉａｌ Ｒａｄｉｏ  Ａｃｃｅｓｓ  Ｎｅｔｗｏｒｋ）セルにおいて、非音声パケット交換サービスを受信するユーザ機器（ＵＥ：ｕｓｅｒ  Ｅｑｕｉｐｍｅｎｔ）は、音声サービス要求に応じて、回線交換ＧＳＭ／ＧＥＲＡＮ（Ｅｄｇｅ  Ｒａｄｉｏ  Ａｃｃｅｓｓ  Ｎｅｔｗｏｒｋ）／ＵＴＲＡＮセルへとハンドオーバされる。音声サービスは、ＵＥのモビリティに関係なくサービスの継続を保証するために、ＧＥＲＡＮ／ＵＴＲＡＮセルの回線交換型セルにおいて確立され、上記サービスの継続はさもなければ、音声サービスがｅＵＴＲＡＮセル内で確立された場合には可能ではないであろう。ＣＳコアネットワークの移動交換局（ＭＳＣ：Ｍｏｂｉｌｅ  Ｓｗｉｔｃｈｉｎｇ  Ｃｅｎｔｅｒ）と、発展型パケットコアのモビリティ管理エンティティ（ＭＭＥ：Ｍｏｂｉｌｉｔｙ  Ｍａｎａｇｅｍｅｎｔ  Ｅｎｔｉｔｙ）との間のＧｓ系インタフェースは、実行される呼び出し要求および位置更新手続きのためのインタフェースを提供する。【選択図】図１
2010530689.tif 000002
【特許請求の範囲】
【請求項１】
ユーザ機器のための音声サービス要求を識別し、Ｇｓ系インタフェースのサポートを認識し、前記音声サービス要求に応じて、および、前記Ｇｓ系インタフェースのサポートの前記認識に応じて、前記ユーザ機器を回線交換型セルへとハンドオーバさせるように構成される、モビリティ管理エンティティ。
【請求項２】
前記ユーザ機器のための前記音声サービス要求を含む呼び出し要求が、前記Ｇｓ系インタフェースを通じて前記モビリティ管理エンティティによって受信される、請求項１に記載のモビリティ管理エンティティ。
【請求項３】
前記発展型パケットコアネットワークは、前記Ｇｓ系インタフェースを通じた前記呼び出し要求の受信に応じて前記ハンドオーバを行なう、請求項２に記載のモビリティ管理エンティティ。
【請求項４】
前記発展型パケットコアネットワークは、前記発展型パケットコアネットワークによりサポートされるモビリティ管理の手続きに基づくトラッキングエリアに応じて、前記Ｇｓ系インタフェースを通じて回線交換位置更新の手続きを行なうように構成される、請求項１に記載のモビリティ管理エンティティ。
【請求項５】
前記発展型パケットコアは、複数の回線交換セルを含むロケーションエリアへと、前記発展型パケットコアのトラッキングエリアをマッピングするように構成される、請求項１に記載のモビリティ管理エンティティ。
【請求項６】
前記モビリティ管理エンティティは、移動交換局への前記Ｇｓ系インタフェースをサポートする、請求項１に記載のモビリティ管理エンティティ。
【請求項７】
パケット交換型セルから回線交換型セルへのハンドオーバを受信し、ハンドオーバの完了に前記回線交換セルとの回線交換呼確立の手続きを行なうに構成される、移動通信装置。
【請求項８】
前記ハンドオーバの完了時に前記回線交換セルとの前記回線交換呼確立の手続きを行なうに構成される、請求項７に記載の移動通信装置。
【請求項９】
前記ハンドオーバは、前記移動通信装置についての音声サービス要求に応じて受信される、請求項７に記載の移動通信装置。
【請求項１０】
前記ハンドオーバを受信し、前記パケット交換型セルによる良好なカバレージにも依らず前記ハンドオーバ手続きを行なう、請求項７に記載の移動通信装置。
【請求項１１】
望ましいＧＥＲＡＮ／ＵＴＲＡＮセルへのハンドオーバを示す測定報告を自動的に送信するように構成される、請求項７に記載の移動通信装置。
【請求項１２】
ユーザ機器に関するハンドオーバ命令を承認し、前記ユーザ機器についての測定報告を獲得し、前記ユーザ機器を前記測定報告において示される回線交換型セルへとハンドオーバさせるように構成されるｅＮｏｄｅＢであって、
前記ハンドオーバ命令が前記ユーザ機器による音声サービス要求に応じて承認される、
ｅＮｏｄｅＢ。
【請求項１３】
前記ｅＮｏｄｅＢは、前記ユーザ機器の良好なカバレージにも依らず、前記ｅＮｏｄｅＢから前記ハンドオーバ手続きを行なう、請求項１２に記載のｅＮｏｄｅＢ。
【請求項１４】
前記ｅＮｏｄｅＢは、前記ユーザ機器から前記測定報告を獲得する、請求項１２に記載のｅＮｏｄｅＢ。
【請求項１５】
前記ｅＮｏｄｅＢは、回線交換ドメイン内のモバイル発信音声サービスの確立要求を直接的に受信する、請求項１２に記載のｅＮｏｄｅＢ。
【請求項１６】
ユーザ機器が音声サービスを確立する方法であって、
前記方法は、
パケット交換型セルから回線交換型セルへのハンドオーバのためのハンドオーバ命令を受信する工程と、
ハンドオーバ手続きの完了時に前記回線交換型セルとの回線交換呼確立の手続きを行なう工程と、
を含む、方法。
【請求項１７】
ハンドオーバ手続きの完了直後に、前記回線交換セルとの前記回線交換呼確立の手続きを行なう工程を含む、請求項１６に記載の方法。
【請求項１８】
音声サービス要求を発生させる工程をさらに含み、前記ハンドオーバ命令は、前記音声サービス要求の発生に応じて受信される、請求項１６に記載の方法。
【請求項１９】
測定報告を生成し、前記パケット交換型セルへと前記測定報告を送信する工程を含む、請求項１６に記載の方法。
【請求項２０】
発展型ユニバーサル移動通信システム地上波無線アクセスネットワーク（ｅＵＴＲＡＮ：Ｅｖｏｌｖｅｄ  Ｕｎｉｖｅｒｓａｌ  Ｍｏｂｉｌｅ  Ｔｅｌｅｃｏｍｍｕｎｉｃａｔｉｏｎｓ  Ｓｙｓｔｅｍ  Ｔｅｒｒｅｓｔｒｉａｌ  Ｒａｄｉｏ  Ａｃｃｅｓｓ  Ｎｅｔｗｏｒｋ）セルのパケット交換ドメインで動作するユーザ機器（ＵＥ：Ｕｓｅｒ  Ｅｑｕｉｐｍｅｎｔ）に対して音声サービスを提供する方法であって、
前記方法は、
音声サービス要求を発生させる工程と、
回線交換セルを決定する工程と、
上記発生工程および上記決定工程に基づいて、前記ＵＥと、回線交換セル内の前記回線交換型セルとの間の音声サービスを確立する工程と、
を含む、方法。
【請求項２１】
前記ｅＵＴＲＡＮセルから移動交換局へのＧｓ系インタフェースの存在を識別する工程をさらに含む、請求項２０に記載の方法。
【請求項２２】
前記Ｇｓ系インタフェースの存在の識別に応じて、前記パケット交換ドメインから前記回線交換ドメインへの前記ユーザ機器のハンドオーバを開始する工程をさらに含む、請求項２０に記載の方法。
【請求項２３】
前記ｅＵＴＲＡＮセルのｅＮｏｄｅＢ内で制御プレーンメッセージを生成する工程と、前記制御プレーンメッセージを前記ＵＥへと送信する工程とをさらに含む、請求項２０に記載の方法。
【請求項２４】
前記制御プレーンメッセージは、回線交換ドメイン音声サービス要求を含む、請求項２０に記載の方法。
【請求項２５】
１つ以上のパケット交換サービスを停止する工程をさらに含む、請求項２０に記載の方法。
【請求項２６】
回線交換コアネットワークのロケーションエリアへと、発展型パケットコアネットワークのトラッキングエリアをマッピングする工程をさらに含む、請求項２０に記載の方法。
【請求項２７】
複数の回線交換型セルと、
複数の発展型ユニバーサル移動通信システム地上波無線アクセスネットワーク（ｅＵＴＲＡＮ）セルを含む発展型パケットシステム（ＥＰＳ：Ｅｖｏｌｖｅｄ  Ｐａｃｋｅｔ  Ｓｙｓｔｅｍ）と、
少なくとも１つの発展型パケットコア（ＥＰＣ：Ｅｖｏｌｖｅｄ  Ｐａｃｋｅｔ  Ｃｏｒｅ）と、
を含むネットワークであって、
前記ＥＰＣは、音声サービス要求に応じて、少なくとも１つの前記ｅＵＴＲＡＮセル内で動作するユーザ機器（ＵＥ）を、前記複数の回線交換型セルのうちの少なくとも１つにハンドオーバさせるように構成される、ネットワーク。
【請求項２８】
前記ＥＰＣがモビリティ管理エンティティを含み、
前記ネットワークはさらに、
移動交換局を含む回線交換コアネットワークと、
前記モビリティ管理エンティティと前記移動交換局との間のＧｓ系インタフェースと、
を含み、
前記ＥＰＣは、前記Ｇｓインタフェースの識別に応じて、前記ＵＥを前記複数の回線交換型セルのうちの少なくとも１つにハンドオーバさせるように構成される、請求項２７に記載のネットワーク。
【請求項２９】
呼び出し要求が、前記Ｇｓ系インタフェースを通じて、前記モビリティ管理エンティティによって前記移動交換局から受信される、請求項２７に記載のネットワーク。
【請求項３０】
前記ＥＰＳは、前記移動交換局からの前記呼び出し要求の受信に応じて、前記ハンドオーバを行なう、請求項２７に記載のネットワーク。
【請求項３１】
前記ＥＰＣは、前記Ｇｓ系インタフェースを通じて回線交換位置更新の手続きを行なうように構成される、請求項２７に記載のネットワーク。
【請求項３２】
前記ＥＰＣは、前記複数の回線交換セルのロケーションエリアへと、前記ＥＰＳのトラッキングエリアをマッピングするように構成される、請求項２７に記載のネットワーク。
【請求項３３】
発展型パケットコアが音声サービスを確立する方法であって、
音声サービス要求を識別する工程と、
発展交換型セルから回線交換型セルへのハンドオーバを行なう工程と、
を含む、方法。
【請求項３４】
前記回線交換型セルを示す測定報告を受信する工程をさらに含み、前記方法は、前記測定報告において示される前記回線交換型セルへのハンドオーバを行なう工程をさらに含む、請求項３３に記載の方法。
【請求項３５】
前記音声サービス要求を識別する工程は、呼び出し要求を受信する工程と、ユーザ機器へと前記呼び出し要求を転送する工程と、を含む、請求項３３に記載の方法。
【発明の詳細な説明】
【技術分野】
【０００１】
本発明は、マルチメディアネットワークに関する。特に、また限定を目的とせずに、本発明は、マルチメディア・モバイルネットワークにおいて音声サービスを提供するシステムおよび方法に関する。
【背景技術】
【０００２】
ユニバーサル移動通信システム（ＵＭＴＳ：Ｕｎｉｖｅｒｓａｌ  Ｍｏｂｉｌｅ  Ｔｅｌｅｃｏｍｍｕｎｉｃａｔｉｏｎｓ  Ｓｙｓｔｅｍ）地上波無線アクセスネットワーク（Ｔｅｒｒｅｓｔｒｉａｌ  Ｒａｄｉｏ  Ａｃｃｅｓｓ  Ｎｅｔｗｏｒｋ）（ＵＴＲＡＮ）は、マルチメディアサービスの無線による提供のための第３世代の（３Ｇ）技術である。ロングタームエボリューション（ＬＴＥ：Ｌｏｎｇ  Ｔｅｒｍ  Ｅｖｏｌｕｔｉｏｎ）および発展型パケットコア（ＥＰＣ：Ｅｖｏｌｖｅｄ  Ｐａｃｋｅｔ  Ｃｏｒｅ）としても知られる、発展型ＵＴＲＡＮ（ｅＵＴＲＡＮ：Ｅｖｏｌｖｅｄ  ＵＴＲＡＮ）の発展によって、例えばＩＭＳのためのマルチメディア電話サービス（ＭＴＳＩ：Ｍｕｌｔｉｍｅｄｉａ  Ｔｅｌｅｐｈｏｎｙ  Ｓｅｒｖｉｃｅ  ｆｏｒ  ＩＭＳ）により提供される電話サービスが、従来の回線交換（ＣＳ：ｃｉｒｃｕｉｔ  ｓｗｉｔｃｈｅｄ）システムからパケット交換（ＰＳ：ｐａｃｋｅｔ  ｓｗｉｔｃｈｅｄ）システムへと移行されることが必要となる。これにより、インターネットプロトコル（ＩＰ：Iｎｔｅｒｎｅｔ  Ｐｒｏｔｏｃｏｌ）マルチメディアサブシステム（ＩＭＳ：Ｍｕｌｔｉｍｅｄｉａ  Ｓｕｂｓｙｓｔｅｍ）が、ｅＵＴＲＡＮおよびＥＰＣよりも早く、広く展開される必要がある。
【発明の概要】
【発明が解決しようとする課題】
【０００３】
ｅＵＴＲＡＮおよびＥＰＣの導入の際に音声サービスをサポートするための、ＣＳコアネットワークの基盤の再利用を可能にするアーキテクチャを提供することは有利であろう。
【課題を解決するための手段】
【０００４】
１つの観点において、本発明は、ユーザ機器のための音声サービス要求を識別し、Ｇｓ系インタフェースのサポートを認識し、かつ、音声サービス要求に応じて、およびＧｓ系インタフェースのサポートの認識に応じて、ユーザ機器を回線交換型セルへとハンドオーバさせるように構成されたモビリティ管理エンティティに関する。
【０００５】
他の観点において、本発明は、パケット交換型セルから回線交換型セルへのハンドオーバを受信し、ハンドオーバ手続きの完了時に回線交換型セルとの回線交換型呼確立（ｃａｌｌ  ｅｓｔａｂｌｉｓｈｍｅｎｔ）の手続きを行なうように構成された移動通信装置に関する。
【０００６】
さらに別の観点において、本発明は、ユーザ機器に関するハンドオーバ命令を承認し、ユーザ機器についての測定報告を獲得し、かつ、ユーザ機器を測定報告において示される回線交換型セルへとハンドオーバさせるように構成されたｅＮｏｄｅＢに関する。ハンドオーバ命令は、ユーザ機器による音声サービス要求に応じて承認される。
【０００７】
さらに別の観点において、本発明は、ユーザ機器が音声サービスを確立する方法に関する。本方法は、パケット交換型セルから回線交換型セルへのハンドオーバのためのハンドオーバ命令を受信する工程と、ハンドオーバ手続きの完了時に回線交換型セルとの回線交換型呼確立の手続きを行なう工程を含む。
【０００８】
さらに別の観点において、本発明は、発展型ユニバーサル移動通信システム地上波無線アクセスネットワーク（ｅＵＴＲＡＮ）セルのパケット交換ドメインにおいて動作するユーザ機器（ＵＥ：Ｕｓｅｒ  Ｅｑｕｉｐｍｅｎｔ）に対して音声サービスを提供する方法に関する。本方法は、音声サービス要求を発生させる工程と、回線交換型セルを決定する工程と、上記発生工程と上記決定工程に基づいて、回線交換ドメインにおいてＵＥと回線交換型セルとの間の音声サービスを確立する工程と、を含む。
【０００９】
さらに別の観点において、本発明は、複数の回線交換型セルと、発展型パケットシステム（ＥＰＳ：Ｅｖｏｌｖｅｄ  Ｐａｃｋｅｔ  Ｓｙｓｔｅｍ）と、を含むネットワークに関する。ＥＰＳは、複数の発展型ＵＴＲＡＮセル（ｅＵＴＲＡＮ）と、少なくとも１つの発展型パケットコア（ＥＰＣ）と、を含む。ＥＰＣは、音声サービス要求に応じて、少なくとも１つのｅＵＴＲＡＮセルで動作するユーザ機器（ＵＥ）を、少なくとも１つの回線交換型セルへとハンドオーバさせるように構成されている。
【００１０】
さらに別の観点において、本発明は、音声サービス要求を識別する工程と、パケット交換型セルから回線交換型セルへのハンドオーバを行なう工程とを含む、発展型パケットコアが音声サービスを確立するための方法に関する。
【図面の簡単な説明】
【００１１】
以下のセクションでは、図面に示される例示的な実施形態を参照しながら、本発明を記載することにする。
【図１】本発明の一実施形態において使用されるネットワークの図である。
【図２】ｅＵＴＲＡＮセルからのパケット交換ハンドオーバを提供する方法のフローチャートである。
【図３】図１のネットワークのインタフェースを示す。
【図４】ＵＥのネットワーク登録の手続きを示す。
【図５】音声呼の着信を示す。
【発明を実施するための形態】
【００１２】
図１に、ネットワーク１０の概要が示されている。ＣＳコアネットワーク（ＣＮ）１１は、メディアゲートウェイ（ＭＧＷ：Ｍｅｄｉａ  Ｇａｔｅｗａｙ）２１と、移動交換局（ＭＳＣ：Ｍｏｂｉｌｅ  Ｓｗｉｔｃｈｉｎｇ  Ｃｅｎｔｅｒ）２２と、を含む。ホームロケーションレジスタ（ＨＬＲ：Ｈｏｍｅ  Ｌｏｃａｔｉｏｎ  Ｒｅｇｉｓｔｅｒ）などのような、ＣＳドメインの他の形態も存在すると想定されているが、明確さのために省略される。ＣＳコアネットワーク１１は、２Ｇ／３Ｇ無線アクセスネットワーク（ＲＡＮ：Ｒａｄｉｏ  Ａｃｃｅｓｓ  Ｎｅｔｗｏｒｋ）セルを通じて、例えばＧＥＲＡＮ（ＧＳＭ／Ｅｄｇｅ  Ｒａｄｉｏ  Ａｃｃｅｓｓ  Ｎｅｔｗｏｒｋ）またはＵＴＲＡＮ１４を通じて、公共交換電話ネットワーク（ＰＳＴＮ：Ｐｕｂｌｉｃ  Ｓｗｉｔｃｈｅｄ  Ｔｅｌｅｐｈｏｎｅ  Ｎｅｔｗｏｒｋ）２３からユーザ機器（ＵＥ）１２への音声サービスを提供する。ネットワーク１０は、１つ以上のｅＵＴＲＡＮセルを介して、音声を含むＰＳサービスを提供するｅＵＴＲＡＮ１６を含む発展型パケットシステム（ＥＰＳ）も含む。ＰＳサービスは、サービス提供用ゲートウェイ１９と、モビリティ管理エンティティ（ＭＭＥ：Ｍｏｂｉｌｉｔｙ  Ｍａｎａｇｅｍｅｎｔ  Ｅｎｔｉｔｙ）１５と、を含む発展型パケットコア（ＥＰＣ）ネットワーク１８を介して、パケットデータネットワーク１７から提供される。ＭＭＥ１５は、アイドルモードのＵＥのロケーション追跡、および、ｅＵＴＲＡＮ規格に従った呼び出し手続き（ｐａｇｉｎｇ  ｐｒｏｃｅｄｕｒｅ）を含む、制御の側面を提供する。
【００１３】
図１のネットワーク１０では、音声サービスは、ｅＵＴＲＡＮセル介してＰＳドメイン内のＵＥ１２に対して、または、ＧＥＲＡＮ／ＵＴＲＡＮセルを介してＣＳドメイン内のユーザに対して提供されうる。なぜならば、これらセルにより提供されるカバレージエリアは重なり合う程度が非常に高いことが予想されるからである。本例では、移動局（ＭＳ：ｍｏｂｉｌｅ  ｓｔａｔｉｏｎ）とも称されるＵＥ１２は（ＬＴＥセルとしても公知の）ｅＵＴＲＡＮ１６により制御されるｅＵＴＲＡＮセル内で動作していると見なされ、上記ｅＵＴＲＡＮセルは、音声要素を含まない１つ以上のアクティブなパケットサービスが行われる、すなわち、ｅＵＴＲＡＮセル内で進行中の音声サービスが存在しない。音声サービスが必要な場合には、音声サービスは、現在のｅＵＴＲＡＮセルにおいて、ＶｏＩＰサービスとしてＰＳドメイン内で確立されるであろう。しかし、初期のＬＴＥ導入時にＩＭＳサービスが存在しないということからｅＵＴＲＡＮサービスの普及が段階的に行われる場合には、ＧＥＲＡＮ／ＵＴＲＡＮカバレージエリアと重なるｅＵＴＲＡＮカバレージエリアが存在する可能性がある。これら重なり合うエリアでは、ＵＥ１２がｅＵＴＲＡＮカバレージの境界に近づく場合に、ＩＭＳサービス展開に関連するドメイン転送機能（ＤＴＦ：ｄｏｍａｉｎ  ｔｒａｎｓｆｅｒ  ｆｕｎｃｔｉｏｎ）がないために、ｅＵＴＲＡＮセル内で開始された音声サービスの継続が可能ではないこともある。そのようなものとして、ＩＭＳがサポートされていない場合にｅＵＴＲＡＮセル内で音声呼を確立させようとすると、結果的に、ＵＥがＬＴＥカバレージエリアを離れようとすればこれらの通話が途絶えてしまうことになるであろう。代わりに、音声サービスが望まれている時点において、ｅＵＴＲＡＮカバレージが未だに利用可能であるけれども、ＵＥ１２がｅＵＴＲＡＮセルを離れ、ＵＥが２Ｇ（ＧＥＲＡＮ）または３Ｇ（ＵＴＲＡＮ）セルの重なり合うカバレージエリアを利用しようとする場合には、音声サービスは、ｅＵＴＲＡＮセル内で確立された場合なら起こりうるように早々と途絶えることが懸念されることなく、２Ｇ／３Ｇセルを用いたＣＳドメインにおいて確立されうる。なぜならば、２Ｇ／３Ｇセルのカバレージは、どこからでもアクセス出来る（ｕｂｉｑｕｉｔｏｕｓ）ものと見なされるからである。従って、１の実施形態において、ＵＥ１２がＬＴＥカバレージ内に存在する間に音声サービスを確立するという要求により、ｅＵＴＲＡＮセルから、ＧＥＲＡＮ／ＵＴＲＡＮセルへのＵＥ１２のハンドオーバが開始され、ＧＥＲＡＮ／ＵＴＲＡＮセルでは、望まれる音声サービスがＣＳドメインにおいて確立される。
【００１４】
ここで、図１、および図２のフローチャート１００を参照しながら、ｅＵＴＲＡＮセルのパケット交換ドメインにおいて動作するＵＥに対して音声サービスを提供する方法について記載することにする。ステップ１０１において、音声サービスを確立するための要求が識別される。その後、音声サービスをサポートしうるＣＳセルが決定される（ステップ１０２）。１の実施形態において、音声サービス要求は、モバイル着信（ＭＴ：ｍｏｂｉｌｅ  ｔｅｒｍｉｎａｔｅｄ）音声呼であってもよく、上記モバイル着信（ＭＴ）音声呼び出しでは、ＭＳＣはＭＭＥへと音声呼呼び出しを送信することになる。ＭＭＥは、呼び出しをｅＮｏｄｅＢへと転送し、ｅＮｏｄｅＢはその後、ＭＴ  ＣＳドメイン音声サービスが必要であることを示す制御プレーンメッセージを、ＵＥに直接的に送信してもよい。この場合に、ＭＭＥがｅＮｏｄｅＢへと送信する呼び出しは、ＣＳドメインでの音声呼の確立が求められていることを示す。代替的に、ｅＮｏｄｅＢは、（すなわち、最初に、ＭＴ  ＣＳドメイン音声サービスが確立される必要があるという標識の無い呼び出しをＵＥに送信し、ＵＥから呼び出し応答を受信し、呼び出し応答をＭＭＥへと転送し、ＣＳドメインでのＭＴ音声サービスの確立のためにＧＥＲＡＮ／ＵＴＲＡＮセルへのハンドオーバが行なわれるべきであるということを示すシグナリングメッセージをＭＭＥから受信した後に）、ＵＥにこの制御プレーンメッセージを間接的に送信してもよい。ｅＵＴＲＡＮセル内で動作するＵＥ１２がこのような制御プレーンメッセージを受信すると、ＵＥ１２は、そこへのＰＳハンドオーバが望ましい特定のＧＥＲＡＮ／ＵＴＲＡＮセルを示す測定報告を作成する。測定報告は、最も望ましいＧＥＲＡＮ／ＵＴＲＡＮセル、第２に望ましいＧＥＲＡＮ／ＵＴＲＡＮセル等の標識と共に、そこへのハンドオーバが容認されうる複数のＧＥＲＡＮ／ＵＴＲＡＮセルも示しうる。
【００１５】
１の実施形態において、音声サービス要求は、モバイル発信（ＭＯ：ｍｏｂｉｌｅ  oｒｉｇｉｎａｔｅｄ）音声呼であってもよく、その場合には、ｅＮｏｄｅＢは、ＧＥＲＡＮ／ＵＴＲＡＮセルへのハンドオーバが望ましいことを示す測定報告をＵＥがｅＮｏｄｅＢに自動的に送信することにより、ＣＳドメイン内でのＭＯ音声サービスの確立要求を直接的に受信する。代替的に、ｅＮｏｄｅＢは、ＵＥがＭＭＥに音声サービス要求を送信する場合に、ＣＳドメインでのＭＯ音声サービスの確立要求を間接的に受信してもよく、ＭＭＥは、その後、ＣＳドメインでのＭＯ音声サービスの確立のためにＧＥＲＡＮ／ＵＴＲＡＮセルへのハンドオーバが行なわれるべきであることを示すシグナリングメッセージをｅＮｏｄｅＢに送信することによって、応答する。この間接的な場合には、ｅＮｏｄｅＢがＣＳドメインでのＭＯ音声サービスの確立要求が受信すると、ｅＮｏｄｅＢはＵＥに、ＧＥＲＡＮ／ＵＴＲＡＮセルのみを示す測定報告を送ることをＵＥに要求するシグナリングメッセージを送信する。直接的な場合と間接的な場合の双方のために、そこへのハンドオーバが望ましい特定のＧＥＲＡＮ／ＵＴＲＡＮセル、または、そこへのハンドオーバが容認されうる複数のＧＥＲＡＮ／ＵＴＲＡＮセルを示す測定報告が、最も望ましいＧＥＲＡＮ／ＵＴＲＡＮセル、第２に望ましいＧＥＲＡＮ／ＵＴＲＡＮセル等の標識と共に、ＵＥによって送信される。直接的な場合については、システムブロードキャスト情報が、ＧＥＲＡＮ／ＵＴＲＡＮセルのみを含む任意の測定報告の送信によりＣＳドメイン音声サービス要求をＵＥが発生させうることをＵＥに報知するために必要である。
【００１６】
ＰＳハンドオーバが開始されると（すなわち、ＬＴＥセル内で進行中の非音声サービスには、ハンドオーバのために選択された２Ｇ／３Ｇセル内で利用する無線リソースが割り当てられている）、ＵＥ１２は、（ＭＴ音声呼については）ＰＳハンドオーバ命令を受信し、ｅＵＴＲＡＮセルを離れ、目標ＧＥＲＡＮ／ＵＴＲＡＮセルに到達し、ＭＳＣへと呼び出し応答を送信する、またはそうでなければ、（ＭＯの場合については）ＣＳドメインリソースが割り当てられる必要があることをシグナリングする。その後、ＣＳドメイン音声サービスが、ステップ１０３において、ＭＴ／ＭＯ呼設定のレガシーの（ｌｅｇａｃｙ）手続きのように、ＵＥ１２と、ＧＥＲＡＮ／ＵＴＲＡＮ１４と、ＣＳ  ＣＮ１１と、の間で確立される。
【００１７】
ＵＥ１２およびＧＥＲＡＮ／ＵＴＲＡＮ１４の双方が、二重転送モードをサポートしない場合に、音声サービスがＣＳドメイン内で一度確立されると、ＰＳリソースは無くなる。ＵＥとＧＥＲＡＮ／ＵＴＲＡＮ１４の双方が二重転送モードをサポートする場合には、ＰＳリソースは、ＣＳドメイン音声サービスのために必要なリソースと並行して保持される。ＵＴＲＡＮセルへのＰＳハンドオーバの場合は、二重転送モードがサポートされるＧＥＲＡＮセルへのＰＳハンドオーバの論理的な均等物として見なされうる。なぜならば、ＵＴＲＡＮは本質的に、ＰＳドメインサービスおよびＣＳドメインサービスが並行して機能することを可能にするからである。
【００１８】
いずれの場合にせよ（二重転送モードがサポートされている場合、またはサポートされていない場合）、（すなわち、音声サービスのために必要なＣＳドメインリソースを割り当てるために）ｅＵＴＲＡＮセルからのＰＳハンドオーバに続く、後続のセル内ハンドオーバを行なう必要はない。なぜならば、ＣＳドメインリソースは、レガシーのＭＴおよびＭＯ音声サービス確立の手続きの一部として、目標ＧＥＲＡＮ／ＵＴＲＡＮセル内で割り当てられるからである。二重送信モードがサポートされていない場合には、ｅＵＴＲＡＮからＧＥＲＡＮへのハンドオーバ手続きの一部として目標ＧＥＲＡＮにより割り当てられるＰＳリソースが、ＣＳサービスが確立されその後明示的または黙示的に解除されるまで保持される。
【００１９】
ＵＥ１２およびＧＥＲＡＮ／ＵＴＲＡＮ１４の双方が二重送信モードをサポートしない場合、または、ｅＵＴＲＡＮセル内の一連のアクティブなＰＳサービスが、セル変更のためのＰＳハンドオーバが厳密に必要となる程度までに遅延を重視しない場合には、ＵＥ１２またはｅＵＴＲＡＮ１６は、ＣＳドメイン内での望まれる音声サービスの確立の遅延を最小限にするために、ＧＥＲＡＮ／ＵＴＲＡＮセルへのＰＳハンドオーバを未だに開始することが可能であろう。
【００２０】
ネットワークインタフェースを示すブロック図が図３に示されている。ユーザ機器１２は、Ａ／ｌｕインタフェース２８を通じてＣＳコアネットワーク１１と通信するＧＥＲＡＮ／ＵＴＲＡＮ１４を通じた、回線交換型のアクセスを行なう。ＵＥ１２はまた、ｅＵＴＲＡＮ１６のｅＮｏｄｅＢ３３と通信する。ｅＵＴＲＡＮ１６は、３ＧＰＰとして公知の、Ｓ１インタフェース２９を通じて、発展型パケットコア（ＥＰＣ）１８と接続する。
【００２１】
典型的な回線交換汎用パケット無線アクセスサービス（ＧＰＲＳ：Ｇｅｎｅｒｉｃ  Ｐａｃｋｅｔ  Ｒａｄｉｏ  Ｓｅｒｖｉｃｅｓ）ネットワークでは、ＰＳドメインのモビリティ管理が、サービングＧＰＲＳサポートノード（ＳＧＳＮ：Ｓｅｒｖｉｎｇ  ＧＰＲＳ  Ｓｕｐｐｏｒｔ  Ｎｏｄｅ）により行なわれ、ＣＳドメイン位置更新情報をＭＳＣへと提供するために、ＳＧＳＮとＭＳＣとの間にＧｓインタフェースが備えられる。ＥＰＳネットワークでは、モビリティ管理が、発展型パケットコア（ＥＰＣ）１８のモビリティ管理エンティティ（ＭＭＥ）１５によって行なわれる。従って、ＭＳＣサーバ２２においてＣＳドメインのモビリティ管理機能を保持するために、ＥＰＣ１８のＭＭＥ１５と、ＣＳコアネットワーク１１のＭＳＣサーバ２２との間に、Ｇｓ系インタフェース（“Ｇｓ‐ｌｉｋｅ”  ｉｎｔｅｒｆａｃｅ）２６が備えられる。Ｇｓ系インタフェース２６は、ＣＳ呼び出しメッセージがＭＳＣサーバ２２からＭＭＥ１５へと送信されうるように、（通常では、ＰＳハンドオーバ手続きの間にＧＥＲＡＮセル内で開始される）ＣＳドメインの位置更新の手続きのために利用可能である。
【００２２】
Ｇｓ系インタフェースの存在は、ＭＴ音声サービス要求とＭＯ音声サービス要求の双方の想定について、ＭＭＥがいつＣＳコアネットワークへのＰＳハンドオーバを行なうかについて決定するためのトリガとして利用されうる。直接的なＭＯ音声サービス要求の場合については、Ｇｓ系インタフェースの存在により、ＭＭＥは、ＵＥがＧＥＲＡＮ／ＵＴＲＡＮセルのみを含む任意の測定報告の送信によりＣＳドメイン音声サービス要求を発生させうることをＵＥに報知するシステムブロードキャスト情報を送信する。間接的なＭＯ音声サービス要求の場合については、ＭＭＥは、（すなわち、パケット交換ドメインにおいて呼確立の手続きを行なう代わりに）ＧＥＲＡＮ／ＵＴＲＡＮセルへのＩｎｔｅｒ−ＲＡＴ  ＰＳハンドオーバを命令することによって、（ｅＮｏｄｅＢを介して）ＵＥから受信された音声サービス要求に対して応答する。直接的なＭＴ音声サービス要求の場合について、ＭＭＥは、（すなわち、パケット交換ドメインにおいて呼確立の手続きを行なう代わりに）ＧＥＲＡＮ／ＵＴＲＡＮセルへのＩｎｔｅｒ−ＲＡＴ  ＰＳハンドオーバを実行すべきであることを示す呼び出しをｅＮｏｄｅＢに送信することが可能であり、その場合には、ｅＮｏｄｅＢは、呼び出しとして、および測定情報要求としての役割を果たすシグナリングメッセージをＵＥに送信する。このシグナリングメッセージに対する応答を受信すると、ｅＮｏｄｅＢは、ＧＥＲＡＮ／ＵＴＲＡＮセルへのＩｎｔｅｒ−ＲＡＴ  ＰＳハンドオーバを実行することをＵＥに命令するために、提供された測定履歴を利用する。間接的なＭＴ音声サービスの要求の場合については、ＭＭＥは、自身がｅＮｏｄｅＢに送信する呼び出しがＧＥＲＡＮ／ＵＴＲＡＮセルへのＩｎｔｅｒ−ＲＡＴ  ＰＳハンドオーバを実行すべきであることを示さない汎用の呼び出し手続きを用いて（すなわち、ＭＭＥは実際にｅＵＴＲＡＮセル内でＵＥが利用可能であるかを検証する必要がある）、ＵＥの呼び出しを開始する。呼び出しの試みに応じて（ｅＮｏｄｅＢを介して）ＵＥからのサービス要求が受信され、ＵＥがＭＳＣへのＧｓ系インタフェースをサポートすることが分かると、ＭＭＥは、ＧＥＲＡＮ／ＵＴＲＡＮセルへのＩｎｔｅｒ−ＲＡＴ  ＰＳハンドオーバが必要であることを再び認識し、従って、このＵＥのためにＧＥＲＡＮ／ＵＴＲＡＮセルへのＩｎｔｅｒ−ＲＡＴ  ＰＳ  ＨＯを実行することをｅＮｏｄｅＢに命令することによって、サービス要求に応答することが可能である。
【００２３】
直接的な場合に関する他の実施形態において、ＵＥからの呼び出し応答を獲得すると（すなわち、ＵＥが特定のＥ−ＵＴＲＡＮセル内に存在することを確認すると）、ｅＮｏｄｅＢは、ＰＳハンドオーバの手続きを開始する権限を有し、その結果、ＵＥにＰＳハンドオーバ命令を送信する。このことは、ＭＭＥが、Ｇｓ系インタフェースの存在についての自身の知識を効果的に伝えるために、自身がｅＮｏｄｅＢに送信する呼び出しを利用する場合に可能である。
【００２４】
３ＧＰＰ  ＣＳドメイン内では、ロケーションエリア（ＬＡ）とサービスエリア（ＳＡ）の双方は、様々な目的のための、例えば、地理的エリアに基づいてＣＳサービス「制御」（‘ｃｏｎｔｒｏｌ’）をサポートするための基本的な構想である。ロケーションエリアおよびサービスエリアの構想は、ＥＰＣによって、および／または、ＬＴＥトラッキングエリアと２Ｇ／３Ｇセル構造（すなわち、ＬＡとＳＡ）との間のマッピングによって、本質的にサポートされうる。
【００２５】
先に述べたように、ＥＳＰモビリティ管理は、モビリティ管理エンティティ（ＭＭＥ）１５を通じて提供される。図４に、モビリティ管理の一例が、ＵＥのネットワーク登録の特別な例によって示されている。ＵＥは、ＣＳ音声サービスを確立するために必要な識別子を備えている。ＵＥは、ｅＮｏｄｅＢに登録要求を送信し、よってＵＥはＭＭＥ登録の前に認証される。ＬＴＥカバレージ内で動作する間に（すなわち、音声サービスを確立する必要性がない間に）、ＣＳ位置更新が、ＭＭＥ１５によって、ＭＳＣサーバ２２に対して、ＬＴＥトラッキングエリア（ＴＡ）からロケーションエリア（ＬＡ）へのマッピングを使用して開始されうる。ＣＳ接続は組み入れられていてもよく、かつ、ＣＳ位置更新の手続きは、（ブロードキャストにおいて見えるＬＡ構造に存在する）ＵＥによって、または、（ＬＴＥ／ＳＡＥのＴＡ構造からのマッピングに基づいて）ＭＭＥによって開始可能であることに注意されたい。基本ＩＰベアラが一度確立されると、識別子（例えばＬＡ）がＵＥに送信されうる。ＵＥが他のＬＴＥカバレージエリアにローミングする場合に、同じ構想を利用することが可能である。すなわち、ＬＴＥ  ＴＡ更新の手続きは、ＣＳ位置更新の手続きを含んでもよい。
【００２６】
ＣＳ音声サービスを開始し発信する前に、ＵＥはＰＳハンドオーバを利用して２Ｇ／３Ｇセルへと移動されられる。２Ｇ／３Ｇセルに到達した後、全ての後続の呼確立シグナリングは、２Ｇ／３Ｇ発信呼と同じであり、ｅＵＴＲＡＮおよびＥＰＣは含まれない。
【００２７】
ｅＵＴＲＡＮがアクティブな場合の着信呼の処理が、図５に示されている。国際移動加入者識別子（ＩＭＳＩ：Ｉｎｔｅｒｎａｔｉｏｎａｌ  Ｍｏｂｉｌｅ  Ｓｕｂｓｃｒｉｂｅｒ  Ｉｄｅｎｔｉｔｙ）を含む呼び出し要求５１が、ＭＳＣサーバ２２で発生し、ＭＭＥ１５に送信される。ＭＭＥ１５は、Ｓ１インタフェースを介してｅＮｏｄｅＢ３３へと呼び出し要求を送信し、無線リソース制御（ＲＲＣ：Ｒａｄｉｏ  Ｒｅｓｏｕｒｃｅ  Ｃｏｎｔｒｏｌ）接続が、ＵＥ１２に呼び出し通知を与えるために利用可能である。ＵＥ１２で呼び出し通知が受信されると、ＵＥは、ｅＮｏｄｅＢ３３に対して測定報告情報を送信してもよい。これにより、ｅＮｏｄｅＢは、ＵＥ１２に対して、この測定報告情報を用いてＰＳハンドオーバ命令の送信する（すなわち、ＭＴ  ＣＳドメイン音声サービス確立の直接的な場合）。ＵＥは、呼確立シグナリングの前に(ＰＳハンドオーバを利用して)２Ｇ／３Ｇセルへと移動させられる。２Ｇ／３Ｇセルに到達した後、全ての後続の呼確立シグナリングは、レガシーのモード動作のために利用されるものと同じであり、ＵＥが例えばＮｏｄｅＢ５２および無線ネットワークコントローラ５３を利用して２Ｇ／３Ｇセルによりサービスを提供される場合に、２Ｇ／３Ｇ着信呼が開始される。
【００２８】
当業者には明らかであるように、ここで記載される実施形態は、既存の２Ｇ／３Ｇの仕組みを活用している。しかし、２Ｇ／３ＧＲＡＮに対する影響はなく、かつ２Ｇ／３Ｇコアネットワークに与える影響のレベルは深刻ではないので、新しいプロトコルは必要ではない。
【００２９】
本明細書で記載される実施形態は、ｅＵＴＲＡＮを展開する際に事業者にＭＴＳＩに移行する時間を少し与える、ＣＳ音声サービスを提供するためのコスト効果のあるギャップフィラー（“ｇａｐ  ｆｉｌｌｅｒ”）として理解されうる。
【００３０】
本明細書で使用される語および記述子は、発展型パケットシステムおよびロングタームエボリューションのための３ＧＰＰ規格において利用される標準技術に従っている。革新的な構想の部分ではない特徴、インタフェースおよび性能の記述は、明確さのために省略される。
【００３１】
当業者には分かるように、本願で記載される革新的な構想は、本願の広い範囲に渡って修正可能であり、かつ変更可能である。従って、特許される発明の主題の範囲は、先に検討したいずれの特定の例示的な教示にも限定されるものではなく、代わりに、以下の請求項によって定義される。
【図１】
2010530689.tif 000003
【図２】
2010530689.tif 000004
【図３】
2010530689.tif 000005
【図４】
2010530689.tif 000006
【図５】
2010530689.tif 000007
【手続補正書】
【提出日】平成21年7月17日(2009.7.17)
【手続補正１】
【補正対象書類名】特許請求の範囲
【補正対象項目名】全文
【補正方法】変更
【補正の内容】
【特許請求の範囲】
【請求項１】
１つ以上のパケットサービスは行なわれるが進行中の音声サービスは無い発展型ユニバーサル移動通信システム地上波無線アクセスネットワーク（ｅＵＴＲＡＮ：Ｅｖｏｌｖｅｄ  Ｕｎｉｖｅｒｓａｌ  Ｍｏｂｉｌｅ  Ｔｅｌｅｃｏｍｍｕｎｉｃａｔｉｏｎｓ  Ｓｙｓｔｅｍ  Ｔｅｒｒｅｓｔｒｉａｌ  Ｒａｄｉｏ  Ａｃｃｅｓｓ  Ｎｅｔｗｏｒｋ）セル（１６）においてユーザ機器（１２）が動作する場合に前記ユーザ機器（１２）のための音声サービス要求を識別し、
Ｇｓ系インタフェース（２６）のサポートを認識し、
ハンドオーバ手続きの間に前記ユーザ機器（１２）が回線交換型セル（１４）に到達した後に前記回線交換型セル（１４）の前記回線交換ドメインにおいて前記音声サービスが確立されうるように、前記音声サービス要求に応じて、および、前記Ｇｓ系インタフェース（２６）のサポートの前記認識に応じて、前記ユーザ機器（１２）を前記回線交換型セル（１４）へとハンドオーバさせる、
構成により特徴付けられる、モビリティ管理エンティティ（１５）。
【請求項２】
前記ユーザ機器（１２）のための前記音声サービス要求を含む呼び出し要求が、前記Ｇｓ系インタフェース（２６）を通じて前記モビリティ管理エンティティ（１５）によって受信される、請求項１に記載のモビリティ管理エンティティ（１５）。
【請求項３】
さらに、前記Ｇｓ系インタフェース（２６）を通じた前記呼び出し要求の受信に応じて前記ハンドオーバを行なう発展型パケットコアネットワーク（１８）により特徴付けられる、請求項１に記載のモビリティ管理エンティティ（１５）。
【請求項４】
さらに、前記発展型パケットコアネットワーク（１８）によりサポートされるモビリティ管理の手続きに基づくトラッキングエリアに応じて、前記Ｇｓ系インタフェース（２６）を通じて回線交換位置更新の手続きを行なうように構成される発展型パケットコアネットワークにより特徴付けられる、請求項１に記載のモビリティ管理エンティティ（１５）。
【請求項５】
さらに、複数の回線交換セルを含むロケーションエリアへと、前記発展型パケットコアのトラッキングエリアをマッピングするように構成される発展型パケットコア（１８）により特徴付けられる、請求項１に記載のモビリティ管理エンティティ（１５）。
【請求項６】
前記モビリティ管理エンティティ（１５）は、移動交換局（２２）への前記Ｇｓ系インタフェース（２６）をサポートする、請求項１に記載のモビリティ管理エンティティ（１５）。
【請求項７】
ユーザ機器（１２）であって、
１つ以上のパケットサービスが行われるが進行中の音声サービスは無い発展型ユニバーサル移動通信システム地上波無線アクセスネットワーク（ｅＵＴＲＡＮ）セル（１６）において前記ユーザ機器（１２）が動作する場合に、
前記ｅＵＴＲＡＮセル（１６）から回線交換型セル（１４）へのハンドオーバ命令を受信し、
ハンドオーバ手続きの間に前記ユーザ機器（１２）が前記回線交換型セルに到達した後に前記回線交換セル（１４）との回線交換呼確立の手続きを行なう、
構成により特徴付けられる、ユーザ機器（１２）。
【請求項８】
前記移動通信装置（１２）についての音声サービス要求に応じて前記ハンドオーバを受信する、請求項７に記載のユーザ機器（１２）。
【請求項９】
前記ハンドオーバを受信し、前記パケット交換型セル（１６）による良好なカバレージにも依らず前記ハンドオーバ手続きを行なう、請求項７に記載のユーザ機器（１２）。
【請求項１０】
望ましいＧＥＲＡＮ／ＵＴＲＡＮセル（１４）へのハンドオーバを示す測定報告を自動的に送信する、請求項７に記載のユーザ機器（１２）。
【請求項１１】
１つ以上のパケットサービスが行われるが進行中の音声サービスは無い発展型ユニバーサル移動通信システム地上波無線アクセスネットワーク（ｅＵＴＲＡＮ）セル（１６）においてユーザ機器（１２）が動作する場合に、前記ユーザ機器（１２）に関するハンドオーバ命令を承認し、前記ユーザ機器についての測定報告を獲得する構成を含むｅＮｏｄｅＢ（３３）であって、
前記構成は、
前記ユーザ機器（１２）を前記測定報告において示される回線交換型セル（１４）へとハンドオーバさせる手段により特徴付けられ、
ハンドオーバ手続きの間に前記ユーザ機器（１２）が前記回線交換型セル（１４）に到達した後に前記回線交換型セル（１４）の前記回線交換ドメインにおいて前記音声サービスが確立されうるように、前記ハンドオーバ命令が前記ユーザ機器（１２）による音声サービス要求に応じて承認される、
ｅＮｏｄｅＢ（３３）。
【請求項１２】
前記ｅＮｏｄｅＢ（３３）は、前記ユーザ機器（１２）の良好なカバレージにも依らず、前記ｅＮｏｄｅＢ（３３）から前記ハンドオーバ手続きを行なう、請求項１１に記載のｅＮｏｄｅＢ（３３）。
【請求項１３】
前記ｅＮｏｄｅＢ（３３）は、前記ユーザ機器（１２）から前記測定報告を獲得する、請求項１１に記載のｅＮｏｄｅＢ（３３）。
【請求項１４】
前記ｅＮｏｄｅＢ（３３）は、回線交換ドメイン内のモバイル発信音声サービスの確立要求を直接的に受信する、請求項１１に記載のｅＮｏｄｅＢ（３３）。
【請求項１５】
１つ以上のパケットサービスが行われるが進行中の音声サービスは無い発展型ユニバーサル移動通信システム地上波無線アクセスネットワーク（ｅＵＴＲＡＮ）セル（１６）においてユーザ機器（１２）が動作する場合に、前記ユーザ機器（１２）が音声サービスを確立する方法であって、
前記方法は、
前記ｅＵＴＲＡＮセル（１６）から回線交換型セル（１４）へのハンドオーバのためのハンドオーバ命令を受信する工程と、
ハンドオーバ手続きの間に前記ユーザ機器（１２）が前記回線交換型（１４）セルに到達した後に前記回線交換型セル（１４）との回線交換呼確立の手続きを行なう工程と、
により特徴付けられる、方法。
【請求項１６】
さらに音声サービス要求を発生させる工程（１０１）により特徴付けられ、前記ハンドオーバ命令は、前記音声サービス要求の発生に応じて受信される、請求項１５に記載の方法。
【請求項１７】
さらに、測定報告を生成し、前記パケット交換型セル（１４）へと前記測定報告を送信する工程により特徴付けられる、請求項１５に記載の方法。
【請求項１８】
１つ以上のパケットサービスが行われるが進行中の音声サービスは無い発展型ユニバーサル移動通信システム地上波無線アクセスネットワーク（ｅＵＴＲＡＮ）セル（１６）のパケット交換ドメインで動作するユーザ機器（ＵＥ：Ｕｓｅｒ  Ｅｑｕｉｐｍｅｎｔ）（１２）に対して音声サービスを提供する方法であって、
前記方法は、
音声サービス要求を発生させる工程（１０１）と、
回線交換セルを決定する工程（１０２）と、
ハンドオーバ手続きの間に前記ユーザ機器（１２）が前記回線交換型セルに到達した後に、上記発生工程および上記決定工程に基づいて、前記ＵＥ（１２）と、回線交換ドメイン内の前記回線交換型セル（１４）との間の音声サービスを確立する工程（１０３）と、
を含む、方法。
【請求項１９】
さらに前記ｅＵＴＲＡＮセル（１６）から移動交換局（２２）へのＧｓ系インタフェース（２６）の存在を識別する工程により特徴付けられる、請求項１８に記載の方法。
【請求項２０】
さらに、前記Ｇｓ系インタフェース（２６）の存在の識別に応じて、前記パケット交換ドメイン（１６）から前記回線交換ドメイン（１４）への前記ユーザ機器（１２）のハンドオーバを開始する工程により特徴付けられる、請求項１８に記載の方法。
【請求項２１】
さらに、前記ｅＵＴＲＡＮセル（１６）のｅＮｏｄｅＢ（３３）内で制御プレーンメッセージを生成する工程と、前記制御プレーンメッセージを前記ＵＥ（１２）へと送信する工程とにより特徴付けられる、請求項１８に記載の方法。
【請求項２２】
前記制御プレーンメッセージは、回線交換ドメイン音声サービス要求を含む、請求項１８に記載の方法。
【請求項２３】
さらに、１つ以上のパケット交換サービスを停止する工程により特徴付けられる、請求項１８に記載の方法。
【請求項２４】
さらに、回線交換コアネットワークのロケーションエリアへと、発展型パケットコアネットワークのトラッキングエリアをマッピングする工程により特徴付けられる、請求項１８に記載の方法。
【請求項２５】
複数の回線交換型セル（１４）と、
複数の発展型ユニバーサル移動通信システム地上波無線アクセスネットワーク（ｅＵＴＲＡＮ）セル（１６）を含む発展型パケットシステム（ＥＰＳ：Ｅｖｏｌｖｅｄ  Ｐａｃｋｅｔ  Ｓｙｓｔｅｍ）と、
を含むネットワークであって、
ハンドオーバ手続きの間にユーザ機器（１２）が回線交換型（１４）セルに到達した後に前記回線交換型セル（１４）の前記回線交換ドメインにおいて前記音声サービスが確立されうるように、前記ＵＥ（１２）についての音声サービス要求に応じて、１つ以上のパケットサービスは行われるが進行中の音声サービスは無い少なくとも１つの前記ｅＵＴＲＡＮセル（１６）内で動作するユーザ機器（ＵＥ）（１２）を、前記複数の回線交換型セル（１４）のうちの少なくとも１つにハンドオーバさせる少なくとも１つの発展型パケットコア（ＥＰＣ：Ｅｖｏｌｖｅｄ  Ｐａｃｋｅｔ  Ｃｏｒｅ）（１８）により特徴付けられる、ネットワーク。
【請求項２６】
前記ＥＰＣ（１８）がモビリティ管理エンティティ（１５）を含み、
前記ネットワークはさらに、
移動交換局を含む回線交換コアネットワーク（１１）と、
前記モビリティ管理エンティティ（１５）と前記移動交換局（２２）との間のＧｓ系インタフェース（２６）と、
を含み、
前記Ｇｓインタフェース（２６）の識別に応じて、前記ＵＥ（１２）を前記複数の回線交換型セル（１４）のうちの少なくとも１つにハンドオーバさせるように構成される前記ＥＰＣ（１８）により特徴付けられる、請求項２５に記載のネットワーク。
【請求項２７】
前記Ｇｓ系インタフェース（２６）を通じて、前記モビリティ管理エンティティ（１５）によって前記移動交換局（２２）から呼び出し要求（５１）を受信する、請求項２５に記載のネットワーク。
【請求項２８】
前記ＥＰＳは、前記移動交換局（２２）からの前記呼び出し要求の受信に応じて、前記ハンドオーバを行なう、請求項２５に記載のネットワーク。
【請求項２９】
前記ＥＰＣ（１８）は、前記Ｇｓ系インタフェース（２６）を通じて回線交換位置更新の手続きを行なうように構成される、請求項２５に記載のネットワーク。
【請求項３０】
前記ＥＰＣ（１８）は、前記複数の回線交換セル（１４）のロケーションエリアへと、前記ＥＰＳのトラッキングエリアをマッピングするように構成される、請求項２５に記載のネットワーク。
【請求項３１】
１つ以上のパケットサービスが行われるが進行中の音声サービスは無い発展型ユニバーサル移動通信システム地上波無線アクセスネットワーク（ｅＵＴＲＡＮ）セル（１６）において動作するユーザ機器（ＵＥ）（１２）のために、発展型パケットコア（１８）が音声サービスを確立する方法であって、
前記ＵＥ（１２）についての音声サービス要求を識別する工程を含み、
ハンドオーバ手続きの間に前記ユーザ機器（１２）が回線交換型（１４）セルに到達した後に前記回線交換型セル（１４）の前記回線交換ドメインにおいて前記音声サービスが確立されうるように、前記ｅＵＴＲＡＮセル（１６）から前記回線交換型セル（１４）へのハンドオーバを行なう工程により特徴付けられる、方法。
【請求項３２】
前記回線交換型セルを示す測定報告を受信する工程をさらに含み、前記方法はさらに、前記測定報告において示される前記回線交換型セルへのハンドオーバを行なう工程により特徴付けられる、請求項３１に記載の方法。
【請求項３３】
前記音声サービス要求を識別する工程は、呼び出し要求（５１）を受信する工程と、ユーザ機器（１２）へと前記呼び出し要求（５１）を転送する工程と、を含む、請求項３１に記載の方法。
【国際調査報告】
2010530689.tif 000008
2010530689.tif 000009
2010530689.tif 000010